(57)【要約】【課題】障子の上方向の移動における操作性に優れた上げ下げ窓を提供する。【解決手段】上下方向に移動可能に設けられる障子と、前記障子の左右方向における端部を収容する溝部を備えて当該障子の前記移動を案内する枠体と、前記溝部に収容された前記端部と、前記溝部との互いに対向する部位のうちの一方から、前記端部側が前記溝部側より上方に位置するように突出して、前記対向する部位のうちの他方と接触する弾性変形可能な弾性突出部と、を備えている。【選択図】図１０
2014196647.tif 000002
【特許請求の範囲】
【請求項１】
上下方向に移動可能に設けられる障子と、
前記障子を案内する枠体と、
前記障子と前記枠体との互いに対向する部位のうちの一方から、前記障子側が前記枠体側より上方に位置するように突出して、前記障子と前記枠体との互いに対向する部位のうちの他方と接触する弾性変形可能な弾性突出部と、
を備えていることを特徴とする上げ下げ窓。
【請求項２】
請求項１に記載の上げ下げ窓であって、
前記弾性突出部は、前記枠体に設けられ、水平より上方に向かって突出していることを特徴とする上げ下げ窓。
【請求項３】
請求項１に記載の上げ下げ窓であって、
前記弾性突出部は、前記障子に設けられ、水平より下方に向かって突出していることを特徴とする上げ下げ窓。
【請求項４】
請求項１乃至請求項３のいずれかに記載の上げ下げ窓であって、
前記枠体は、前記障子の左右方向における端部を収容し、当該端部と対向する部位を有する溝部を備え、
前記溝部の、前記端部と対向する部位と、前記端部と、のうちの一方が前記弾性突出部を備えていることを特徴とする上げ下げ窓。
【請求項５】
請求項１乃至請求項４のいずれかに記載の上げ下げ窓であって、
前記弾性突出部は、毛状をなす毛状部であることを特徴とする上げ下げ窓。
【請求項６】
請求項１乃至請求項４のいずれかに記載の上げ下げ窓であって、
前記弾性突出部は、ヒレ状をなすヒレ状部であることを特徴とする上げ下げ窓。
【請求項７】
請求項１乃至請求項４のいずれかに記載の上げ下げ窓であって、
前記弾性突出部は、隆起した曲面を有する隆起部であることを特徴とする上げ下げ窓。
【発明の詳細な説明】
【技術分野】
【０００１】
本発明は、上下方向に移動可能に設けられる障子を有する上げ下げ窓に関する。
【背景技術】
【０００２】
上下方向に移動可能に設けられる障子を有する上げ下げ窓としては、例えば、建具枠内に装着される障子を構成する障子枠本体の内側に、上下方向に移動可能な小障子となる雪見組子枠を備えたガラス障子が知られている（例えば、特許文献１参照）。このガラス障子は、障子枠本体の左右縦框の両内側面に、上下に渡って形成された直線状の摺動溝に、雪見組子枠の左右縦枠が上下摺動自在に装着されている。雪見組子枠の左右縦枠の外側側面に設けられた制動用板ばねが、摺動溝の底壁部との間にて水平方向に押圧する弾発力を発揮するようにし、その摩擦力にて雪見組子枠が上昇された位置に停止するように構成されている。
【先行技術文献】
【特許文献】
【０００３】
【特許文献１】特開第４２２７５８６号公報
【発明の概要】
【発明が解決しようとする課題】
【０００４】
上記のような上げ下げ窓は、雪見組子枠に設けられた制動用板ばねが、摺動溝の底壁部との間にて水平方向に押圧する弾発力を常に発揮しているので、雪見組子枠を上方に移動させる際には、雪見組子枠の重量と、制動用板ばねと摺動溝の底壁部との摩擦力が作用する。このため、雪見組子枠を上方に移動させるときにより大きな力が必要となる場合がある。特に、上方に移動させる障子にガラスが設けられている場合には、障子自身の重量が大きくなるとともに、その障子を上昇させた位置に保持するために必要な摩擦力も大きくなるため、障子を上方に移動させる際に必要な力は更に大きくなり、操作性が悪いという課題がある。
【０００５】
本発明は、かかる課題に鑑みてなされたものであり、その目的とするところは、障子を上方に移動しやすい上げ下げ窓を提供することにある。
【課題を解決するための手段】
【０００６】
かかる目的を達成するために本発明の上げ下げ窓は、上下方向に移動可能に設けられる障子と、前記障子を案内する枠体と、前記障子と前記枠体との互いに対向する部位のうちの一方から、前記障子側が前記枠体側より上方に位置するように突出して、前記障子と前記枠体との互いに対向する部位のうちの他方と接触する弾性変形可能な弾性突出部と、を備えていることを特徴とする上げ下げ窓である。
【０００７】
このような上げ下げ窓によれば、上下方向に移動可能な障子と、障子を案内する枠体との互いに対向する部位のうちの一方に、当該一方から突出して他方を押圧する弾性変形可能な弾性突出部が備えられており、この弾性突出部の障子側が枠体側より上方に位置するように突出している。このため、障子の自重により弾性突出部には、突出している一方の部材側の基端にて、弾性突出部の突出方向に沿う圧縮力が作用し、その圧縮力の反力が障子を上方に押し上げる方向に作用するので、障子を所定の位置に保持するために必要な力を小さくすることが可能である。
【０００８】
また、この反力により弾性突出部の先端側が他方の部材を押圧する力が大きくなる。そして、障子を下方に移動する際には、弾性突出部がさらに圧縮されるので、その圧縮力の反力より障子を上方に押し上げる方向に作用する力が大きくなる。さらに、弾性突出部と他方の部材との間に生じる摩擦力が増大し、障子の下方への移動を抑制する力が大きくなる。
【０００９】
一方、障子を上方に移動させる際には、弾性突出部の突出方向に沿うように移動し弾性突出部が圧縮されないので、圧縮力や摩擦力は生じ難い。このため、障子をより滑らかに上方に移動させることが可能である。すなわち、障子を所定位置に保持する、或いは、下方に移動する際には、障子の下方への移動を抑制する力を大きく作用させ、障子を上方に移動する際には、障子に作用する負荷を軽減することを可能として、障子を上方に移動しやすい上げ下げ窓を提供することが可能である。
【００１０】
かかる上げ下げ窓であって、前記弾性突出部は、前記枠体に設けられ、水平より上方に向かって突出していることが望ましい。
【００１１】
このような上げ下げ窓によれば、枠体側に設けられた弾性突出部の先端は、障子を下方側から押圧する。このため、障子の自重により弾性突出部には、突出している枠体側の基端にて、弾性突出部の突出方向に沿う圧縮力が作用し、その圧縮力の反力が障子を上方に押し上げる方向に作用するので、障子を所定の位置に保持するために必要な力を小さくすることが可能である。
【００１２】
また、この反力により弾性突出部の先端側が障子を押圧する力が大きくなる。そして、障子を下方に移動する際には、弾性突出部がさらに圧縮されるので、その圧縮力の反力より障子を上方に押し上げる方向に作用する力が大きくなる。さらに、反力による障子の端部を押圧する力も大きくなるので摩擦力が増大し、障子の下方への移動を抑制する力が大きくなる。
【００１３】
一方、障子を上方に移動させる際には、弾性突出部の突出方向に沿うように移動し弾性突出部が圧縮されないので、圧縮力や摩擦力は生じ難い。このため、障子をより滑らかに上方に移動させることが可能である。すなわち、障子を所定位置に保持する、或いは、下方に移動する際には、障子の下方への移動を抑制する力を大きく作用させ、障子を上方に移動する際には、障子に作用する負荷を軽減することを可能として、障子を上方に移動しやすい上げ下げ窓を提供することが可能である。
【００１４】
かかる上げ下げ窓であって、前記弾性突出部は、前記障子に設けられ、水平より下方に向かって突出していることが望ましい。
【００１５】
このような上げ下げ窓によれば、障子に設けられた弾性突出部の先端は、枠体を上方側から押圧する。このため、障子の自重により弾性突出部には、突出している障子側の基端にて、弾性突出部の突出方向に沿う圧縮力が作用し、その圧縮力の反力が障子を上方に押し上げる方向に作用するので、障子を所定の位置に保持するために必要な力を小さくすることが可能である。
【００１６】
また、この反力により弾性突出部の先端側が枠体を押圧する力が大きくなる。そして、障子を下方に移動する際には、弾性突出部がさらに圧縮されるので、その圧縮力の反力より障子を上方に押し上げる方向に作用する力が大きくなる。さらに、反力による枠体を押圧する力も大きくなるので摩擦力が増大し、障子の下方への移動を抑制する力が大きくなる。
【００１７】
一方、障子を上方に移動させる際には、弾性突出部の突出方向に沿うように移動し弾性突出部が圧縮されないので、圧縮力や摩擦力は生じ難い。このため、障子をより滑らかに上方に移動させることが可能である。すなわち、障子を所定位置に保持する、或いは、下方に移動する際には、障子の下方への移動を抑制する力を大きく作用させ、障子を上方に移動する際には、障子に作用する負荷を軽減することを可能として、障子を上方に移動しやすい上げ下げ窓を提供することが可能である。
【００１８】
かかる上げ下げ窓であって、前記枠体は、前記障子の左右方向における端部を収容し、当該端部と対向する部位を有する溝部を備え、前記溝部の、前記端部と対向する部位と、前記端部と、のうちの一方が前記弾性突出部を備えていることが望ましい。
【００１９】
このような上げ下げ窓によれば、障子の端部が収容されて上下方向に移動する溝部内に弾性突出部を備えているので、障子の端部と枠体の溝部との間にて確実に弾性突出部を接触させることが可能である。また、弾性突出部は、枠体の溝部内に配置されるので、弾性突出部は、外部に露出しない。このため、優れた操作性を備えつつ意匠性にも優れた上げ下げ窓を提供することが可能である。
【００２０】
かかる上げ下げ窓であって、前記弾性突出部は、毛状をなす毛状部であることが望ましい。
【００２１】
このような上げ下げ窓によれば、弾性突出部が毛状なので、障子が下方に移動し始めた際には、屈曲しつつ圧縮されるとともに他方の部材により押圧されて圧縮力及び摩擦力が大きくなり障子の下方への移動が抑制される。また、障子が上方に移動する際には、個々の毛状部は障子の移動方向に沿わされ易いので負荷が小さく、各々の毛状の部位が他方の部位に接触しても接触面積が小さいので、障子に作用する負荷を小さく抑えることが可能である。
【００２２】
かかる上げ下げ窓であって、前記弾性突出部は、ヒレ状をなすヒレ状部であることとしてもよい。  
このような上げ下げ窓によれば、弾性突出部がヒレ状なので、毛状の部材より剛性を高めることが可能であり、障子が下方に移動し始めた際に、障子の下方への移動をより抑制することが可能である。
【００２３】
かかる上げ下げ窓であって、前記弾性突出部は、隆起した曲面を有する隆起部であることとしてもよい。  
このような上げ下げ窓によれば、弾性突出部は隆起した曲面なので、ヒレ状などの弾性突出部より加工が容易である。
【発明の効果】
【００２４】
本発明によれば、障子を上方に移動しやすい上げ下げ窓を提供することが可能である。
【図面の簡単な説明】
【００２５】
【図１】本実施形態に係る上げ下げ窓を有する内窓ユニットを室内側から見た内観図である。
【図２】内窓ユニット及び外窓を示す縦断面図である。
【図３】内窓ユニット及び外窓を示す横断面図である。
【図４】図４（ａ）は、室外側の上げ下げ障子を室内側から見た図であり、図４（ｂ）は、室外側の上げ下げ障子の縦断面図である。
【図５】室外側の上げ下げ障子の下框を示す縦断面図である。
【図６】上げ下げ障子と支持枠体との取り合い部分を示す斜視図である。
【図７】ガイド部材に設けられたモヘヤを示す図である。
【図８】摺動部材とガイド部材との取り合い部分を示す平断面図である。
【図９】仮止め状態の摺動部材とガイド部材との取り合い部分を示す平断面図である。
【図１０】上げ下げ障子が上方に移動する際のモヘヤの状態を示す図である。
【図１１】上げ下げ障子が下方に移動する際のモヘヤの状態を示す図である。
【図１２】摺動ガイド部に設けられたヒレ状部でなる弾性突出部を示す図である。
【図１３】隆起した曲面を有する隆起部でなる弾性突出部を示す図である。
【図１４】上げ下げ窓の変形例を示す横断面図である。
【発明を実施するための形態】
【００２６】
以下、本発明の一実施形態に係る上げ下げ窓について図面を参照して説明する。
【００２７】
本実施形態では、上下方向に移動可能に設けられる障子を備えた上げ下げ窓として、室内外を連通する開口に設けられた既存の外窓の室内側に設けられる、図１に示すような内窓ユニット１が有する上げ下げ窓１０を例に挙げて説明する。
【００２８】
本実施形態における外窓２は、図２、図３に示すように、室内外に複数のガラスルーバー３を備えたガラスルーバー窓である。外窓２は、複数のガラスルーバー３を回動自在に支持する外窓枠４に、各ガラスルーバー３の姿勢を変更すべく回動させて開口５を開閉するためのオペレーターハンドル７が室内側に設けられている。
【００２９】
内窓ユニット１は、外窓２より室内側の開口５を形成している額縁９の内周側に、見込み方向において外窓２と隣接するように設けられている。内窓ユニット１は、図１に示すように、オペレーターハンドル７が有する台座７ａと見込み方向において対向しないように、開口５の左側に偏らせて左側の額縁９に当接させて設けられた上げ下げ窓１０と、上げ下げ窓１０と右側の額縁９との間を連結する連結枠部材１４と、を有している。
【００３０】
上げ下げ窓１０は、上下方向にスライド移動可能な障子としての２枚の上げ下げ障子１１と、上げ下げ障子１１を支持するための矩形状をなす支持枠体１２と、を有している。
【００３１】
以下の説明においては、開口５に設けられている外窓２及び内窓ユニット１を室内側から見たときに、上下となる方向を上下方向、左右となる方向を左右方向、室内外方向である奥行き方向を見込み方向として示す。尚、外窓２及び内窓ユニット１を構成する各部材は、単体として説明する場合であっても、開口５に設けられた状態で上下方向、左右方向、見込み方向等となる方向にて方向を特定して説明する。また、上下方向及び左右方向において、矩形状をなす支持枠体１２に囲まれた中央側を内周側、支持枠体１２の外側を外周側として説明する。
【００３２】
２枚の上げ下げ障子１１は各々、図４に示すように、樹脂板１１ａと、樹脂板１１ａの上縁部及び下縁部を収容する上框１５及び下框１６と、上框１５及び下框１６の両端にそれぞれ設けられた摺動部材１７と、を有している。上框１５及び下框１６の長さは、樹脂板１１ａの左右方向の幅より短く形成されており、樹脂板１１ａは、上框１５及び下框１６の左右方向における両側に突出しており、摺動部材１７が上框１５及び下框１６に固定されると、左右の摺動部材１７における端部間の幅が樹脂板１１ａの幅と一致するように構成されている。
【００３３】
上框１５及び下框１６は、ほぼ同一の部材であり、２枚の上げ下げ障子１１の室外側の上げ下げ障子１１の上框１５と室内側の上げ下げ障子１１の下框１６とには、各々の上げ下げ障子１１を操作するための把持部１５ａ、１６ａ(図１)が設けられている点が、室内側の上げ下げ障子１１の上框１５と室外側の上げ下げ障子１１の下框１６と相違する。ここでは、上框１５及び下框１６の構成を、室外側の上げ下げ障子１１の下框１６を例に挙げて説明する。
【００３４】
室外側の上げ下げ障子１１の下框１６は、図５に示すように、樹脂板１１ａの室内側に向かって延設される室内延設部１６１ａを有する室内框材１６１と、樹脂板１１ａの室外側に向かって延設される室外延設部１６２ａを有する室外框材１６２とが嵌合されて構成されている。室内框材１６１及び室外框材１６２は、いずれも押出成形部材である。
【００３５】
室内框材１６１は、下面を形成する底部１６１ｂと、底部１６１ｂの室内側の縁から上方に延出された内壁部１６１ｃと、内壁部１６１ｃの上縁から室外側に突出された室内延設部１６１ａと、内壁部１６１ｃの上下方向におけるほぼ中央から室外側に延出され先端に室外框材１６２と係合するフック部１６１ｄを有する中央延出部１６１ｅと、を有している。
【００３６】
室外框材１６２は長手方向に連通する中空部１６２ｂを形成しほぼ矩形状をなす框本体１６２ｃと、框本体１６２ｃの室外側の上角部から上方に延出された上延出部１６２ｄと、上延出部１６２ｄの上縁から室内側に突出された室外延設部１６２ａと、上延出部１６２ｄの室内側に突出させて框本体１６２ｃの上面１６２ｅと上方に間隔を隔てて設けられたパネル載置部１６２ｆと、を有している。
【００３７】
室外框材１６２は、框本体１６２ｃが室内框材１６１の底部１６１ｂに載置されて框本体１６２ｃの室内側の部位が室内框材１６１の内壁部１６１ｃに当接されると框本体１６２ｃの室外側の部位と上延出部１６２ｄとがなす室外側の平面１６２ｇと、室内框材１６１が有する底部１６１ｂの室外側の縁１６１ｆとが平坦になるように構成されている。また、框本体１６２ｃの上面１６２ｅには、上方に突出する突起１６２ｈが設けられており、室内框材１６１及び室外框材１６２を組み合わせたときに、突起１６２ｈとパネル載置部１６２ｆとの間に挿入される室内框材１６１の中央延出部１６１ｅが有するフック部１６１ｄが突起１６２ｈに係止されるように構成されている。
【００３８】
室内框材１６１と室外框材１６２とが組み合わされてフック部１６１ｄが突起１６２ｈに係止された状態では、上延出部１６２ｄの室外延設部１６２ａと室内延設部１６１ａとの間にスリット状の空隙１６ｂが形成されており、このスリット状の空隙１６ｂに樹脂板１１ａの下端部が挿入される。樹脂板１１ａは、スリット状の空隙１６ｂの下方に位置するパネル載置部１６２ｆ上にセッティングブロック１８を介して載置され、上延出部１６２ｄに両面テープ２６等の接着材を介して接着される。
【００３９】
上框１５は、下框１６と上下の方向が反転して、室内框材１５１と室外框材１５２との間に形成されたスリット状の空隙１５ｂに樹脂板１１ａの上端部が挿入されている。このとき下框１６にて樹脂板１１ａが載置されたパネル載置部１６２ｆは、上框１５側では、樹脂板１１ａより上方に位置しており、樹脂板１１ａの上縁との間に間隔が隔てられている。
【００４０】
樹脂板１１ａの上端部または下端部が挿入される上框１５及び下框１６は、図４に示すように、樹脂板１１ａより見込み方向の幅が広く形成されており、樹脂板１１ａが挿入されるスリット状の空隙１５ｂ、１６ｂは、見込み方向において室外側に偏らせて設けられている。
【００４１】
上框１５及び下框１６の両端部に設けられる摺動部材１７は、上框１５及び下框１６をその外周形状に合わせて、樹脂板１１ａが挿入されるスリット状の空隙１５ｂ、１６ｂを除き外側から覆うように形成された框カバー部１７１と、框カバー部１７１の左右方向における外側の端部を閉塞する閉塞部１７２と、閉塞部１７２から左右方向の外側に向かって突出された摺動片１７３とを有している。摺動片１７３の側面には、支持枠体１２に設けられた弾性部材でなる係合部２５と係合して、上げ下げ障子１１が所定の位置に配置された状態を維持するための凹部１７４が設けられている。
【００４２】
摺動片１７３は、框カバー部１７１が、樹脂板１１ａに装着された上框１５または下框１６に取り付けられたときに、樹脂板１１ａの表裏面と同一平面にて繋がるように構成されている。
【００４３】
また、左右方向の両側に設けられる摺動部材１７のうちの一方、例えば右側の摺動部材１７は、樹脂板１１ａの右側の端部１１ｂと摺動片１７３の右端１７３ａとが直線状に並ぶように固定されており、他方すなわち左側の摺動部材１７は、支持枠体１２に装着前の状態で左右方向に沿ってスライド可能に仮止めされ、支持枠体１２に上げ下げ障子１１が装着されて樹脂板１１ａの左の端部１１ｃと摺動片１７３の左端１７３ｂとが直線状に並ぶように固定される。
【００４４】
支持枠体１２は、同一の断面形状をなす４本の支持枠材１２１が上下と左の額縁９及び連結枠部材１４にそれぞれ固定されて矩形状をなし、各々、左右方向に沿う３つの内窓壁部１２１ａが、見込み方向において互いに間隔を隔てて配置され、各内窓壁部１２１ａの外周側の端部同士が見込み方向に沿う平板状の外周壁部１２１ｂにて連結されて形成されている。すなわち、４本の支持枠材１２１は断面がＥ字状をなし、互いの端部が突き合わされて矩形状をなし、室内側と室外側とに２枚の上げ下げ障子１１がそれぞれ上下方向に移動可能に設けられる障子領域１２１ｃが、支持枠体１２の全周にわたって形成されている。
【００４５】
支持枠材１２１のうち左右に設けられて上下方向に沿う縦の支持枠材１２１には、図３、図６に示すように、各障子領域１２１ｃにそれぞれ、２枚の上げ下げ障子１１が有する樹脂板１１ａの左右の端部１１ｂ、１１ｃ及び摺動部材１７の摺動片１７３が収容されて上下方向に案内される合成樹脂製のガイド部材２０が設けられている。
【００４６】
ガイド部材２０は、矩形状をなす支持枠体１２の中央側となる内周側に開放されて断面がほぼコ字状をなすガイド本体部２０ａと、ガイド本体部２０ａの開放された側の両先端からコ字状の内側に曲げて互いに対向するように延出された摺動ガイド部２０ｂと、を有し、支持枠材１２１の上下方向における全域に設けられている。
【００４７】
ガイド本体部２０ａの両先端から延出された２つの摺動ガイド部２０ｂは、ガイド部材２０が有する弾性により、ガイド本体部２０ａの両先端を支点として各々揺動可能であるとともに、互いに対向する方向に膨らむように湾曲した摺動ガイド部２０ｂが平坦になる方向に弾性変形可能である。ここで、ガイド部材２０は、全体が弾性を有する構成であっても、ガイド本体部２０ａの両先端の屈曲部及び摺動ガイド部２０ｂのみが弾性を有する構成であっても構わない。
【００４８】
本実施形態の摺動ガイド部２０ｂには、図７に示すように、互いに対向する部位に、水平より上方に向かって突出して樹脂板１１ａの左右の端部１１ｂ、１１ｃ及び摺動部材１７の摺動片１７３に押圧するように、繊維が起毛状(ブラシ状)に設けられた毛状部としてのモヘヤ２１が設けられている。ここで、モヘヤ２１が弾性変形可能な弾性突出部に相当する。
【００４９】
ガイド本体部２０ａの内側に対向するように設けられている摺動ガイド部２０ｂは、互い弾性変形可能に設けられており、互いに対向する方向に押圧し合うように設けられている。樹脂板１１ａの左右の端部１１ｂ、１１ｃ及び摺動部材１７の摺動片１７３は、図８に示すように、モヘヤ２１を備え対向する摺動ガイド部２０ｂの間に、摺動ガイド部２０ｂを見込み方向に分かつように収容されて摺動ガイド部２０ｂと対向している。すなわち、樹脂板１１ａの左右の端部１１ｂ、１１ｃ及び摺動部材１７の摺動片１７３は、見込み方向に対向する摺動ガイド部２０ｂのモヘヤ２１に、摺動ガイド部２０ｂ及びモヘヤ２１の弾性により押圧された状態にて挟まれており、上げ下げ障子１１が昇降する際にモヘヤ２１と摺動する。ここで、コ字状をなすガイド本体部２０ａを有するガイド部材２０が、上げ下げ障子１１の左右方向における端部１１ｂ、１１ｃを収容する溝部に相当し、支持枠体１２が、上げ下げ障子１１の上下方向の移動を案内する枠体に相当する。
【００５０】
上框１５及び下框１６の見込み方向の幅における中央から室外側に偏らせて設けられている、樹脂板１１ａ及び摺動片１７３と、摺動ガイド部２０ｂとの位置を合わせるために、支持枠材１２１の障子領域１２１ｃにスペーサー１９を介してガイド部材２０が設けられている。また、ガイド部材２０のガイド本体部２０ａにおいて、支持枠体１２の内周側の縁からガイド本体部２０ａ内の左右方向における深さＸ１は、摺動部材１７に設けられた摺動片１７３の閉塞部１７２からの突出量Ｘ２より大きく形成されている。
【００５１】
そして、額縁９の内周側に連結枠部材１４とともに取り付けられた支持枠体１２に、上げ下げ障子１１を装着する際には、予め、上框１５及び下框１６の左側にそれぞれ仮固定された摺動部材１７を、図９に示すように、最も右側に配置しておく。
【００５２】
次に、樹脂板１１ａの左側の端部１１ｃを左の支持枠材１２１に設けられたガイド部材２０の対向する摺動ガイド部２０ｂに設けられたモヘヤ２１間に、樹脂板１１ａの左側が右側より室外側に位置するように傾斜させた状態で挿入する。このとき、樹脂板１１ａは、本来装着されるべき位置より、左側の端部１１ｃがガイド本体部２０ａの奥側に位置するように挿入する。
【００５３】
次に、樹脂板１１ａの右側の端部１１ｂ側が、右側の支持枠材１２１に設けられたガイド部材２０の対向する摺動ガイド部２０ｂに設けられた弾性突出部としてのモヘヤ２１間と対向するように室外側に移動させた後、右方向に移動させて樹脂板１１ａの右側の端部１１ｂを、ガイド部材２０の対向する摺動ガイド部２０ｂに設けられたモヘヤ２１間に挿入する。
【００５４】
次に、右側の摺動部材１７の閉塞部１７２が、右側の支持枠体１２の内窓壁部１２１ａ、ガイド部材２０、スペーサー１９の内周側の先端に当接させた状態にて、上框１５及び下框１６の左側の摺動部材１７を左側にスライドさせて図８の状態とした後に、スライド不能に本固定する。このとき、図３に示すように、左右の摺動部材１７が有する閉塞部１７２の左右方向における間隔Ｌ１が、左右の支持枠体１２の内窓壁部１２１ａ、ガイド部材２０、スペーサー１９の内周側の先端の左右方向における間隔Ｌ２より僅かに狭くなるように左側の摺動部材１７を本固定する。
【００５５】
上記のように装着された上げ下げ障子１１は、樹脂板１１ａの左右の端部１１ｂ、１１ｃ及び摺動部材１７の摺動片１７３に、ガイド部材２０の摺動ガイド部２０ｂに設けられたモヘヤ２１の毛状の各繊維が、樹脂板１１ａの端部１１ｂ、１１ｃ及び摺動部材１７の摺動片１７３側がガイド部材２０側より上方に位置するように突出した状態で樹脂板１１ａの端部１１ｂ、１１ｃに接触している。
【００５６】
そして、上げ下げ障子１１を上方に移動する際には、図１０に示すように、上方に移動する樹脂板１１ａの表面に接触しているモヘヤ２１は、モヘヤ２１と樹脂板１１ａの表面との間に生じる摩擦により上方に引っ張られるが、このとき樹脂板１１ａから離れる方向にモヘヤ２１の各繊維が移動することを規制するものは、隣接する繊維だけであり、モヘヤ２１の各繊維は樹脂板１１ａが移動する上方に向かいつつ樹脂板１１ａに近づくように傾斜しているので、モヘヤ２１が樹脂板１１ａ側に押圧される力は弱く、上げ下げ障子１１に作用する、上げ下げ障子１１の上昇を規制する力は小さくなる。したがって、容易に上げ下げ障子１１を上方に移動させることが可能である。
【００５７】
一方、上げ下げ障子１１を下方に移動する際には、図１１に示すように、モヘヤ２１の向きに逆らって樹脂板１１ａが移動するので、樹脂板１１ａの表面に接触しているモヘヤ２１は、モヘヤ２１と樹脂板１１ａの表面との間に生じる摩擦により下方に押圧されると、モヘヤ２１を長さ方向に圧縮する力が作用する。モヘヤ２１は、樹脂板１１ａと摺動ガイド部２０ｂとの間にて圧縮され、圧縮力の反力により樹脂板１１ａに上方に向かう力が作用するとともに、モヘヤ２１により樹脂板１１ａへの押圧力が高くなることで、モヘヤ２１と樹脂板１１ａの表面との間に生じる摩擦力も大きくなり、上げ下げ障子１１の下降を規制する力が大きくなる。
【００５８】
本実施形態の上げ下げ窓１０によれば、上げ下げ障子１１の樹脂板１１ａの端部１１ｂ、１１ｃ及び摺動部材１７の摺動片１７３を収容するガイド部材２０に、ガイド部材２０の摺動ガイド部２０ｂ側から突出して上げ下げ障子１１を押圧するモヘヤ２１の先端は、上げ下げ障子１１の端部１１ｂ、１１ｃ及び摺動片１７３を下方側から押圧する。このため、上げ下げ障子１１の自重によりモヘヤ２１には、突出している摺動ガイド部２０ｂ側のモヘヤ２１の基端にて、モヘヤ２１の突出方向に沿う圧縮力が作用し、その反力が上げ下げ障子１１を上方に押し上げる方向に作用するので、上げ下げ障子１１を所定の位置に保持するために必要な力を小さくすることが可能である。
【００５９】
また、この反力によりモヘヤ２１の先端側が樹脂板１１ａの端部１１ｂ、１１ｃ及び摺動部材１７の摺動片１７３を押圧する力が大きくなる。そして、上げ下げ障子１１を下方に移動する際には、モヘヤ２１がさらに圧縮されるので、その反力より上げ下げ障子１１を上方に押し上げる方向に作用する力が大きくなる。さらに、反力による樹脂板１１ａの端部１１ｂ、１１ｃ及び摺動部材１７の摺動片１７３を押圧する力も大きくなるので摩擦力が増大し、上げ下げ障子１１の下方への移動を抑制する力が大きくなる。
【００６０】
一方、上げ下げ障子１１を上方に移動させる際には、モヘヤ２１の突出方向に沿うように移動しモヘヤ２１が圧縮されないので、圧縮力や摩擦力は生じ難い。このため、上げ下げ障子１１をより滑らかに上方に移動させることが可能である。すなわち、上げ下げ障子１１を所定位置に保持する、或いは、下方に移動する際には、上げ下げ障子１１の下方への移動を抑制する力を大きく作用させ、上げ下げ障子１１を上方に移動する際には、上げ下げ障子１１に作用する負荷を軽減することを可能として、上げ下げ障子１１を上方に移動しやすい上げ下げ窓１０を提供することが可能である。
【００６１】
本実施形態においては、モヘヤ２１をガイド部材２０の摺動ガイド部２０ｂに設けた例について説明したが、モヘヤ２１を樹脂板１１ａの端部１１ｂ、１１ｃ及び摺動部材１７の摺動片１７３側に設け、対向する摺動ガイド部２０ｂ間を移動する形態であっても構わない。このとき、モヘヤ２１の繊維は、樹脂板１１ａの端部１１ｂ、１１ｃ及び摺動部材１７の摺動片１７３から、水平より下方に向かって突出していることが望ましい。この場合には、上げ下げ障子１１の端部、すなわち樹脂板１１ａの端部１１ｂ、１１ｃ及び摺動部材１７の摺動片１７３に設けられたモヘヤ２１の先端は、ガイド部材２０の摺動ガイド部２０ｂを上方から押圧する。このため、上げ下げ障子１１の自重によりモヘヤ２１には、突出している樹脂板１１ａの端部１１ｂ、１１ｃ及び摺動部材１７の摺動片１７３側の基端にて、モヘヤ２１の突出方向に沿う圧縮力が作用し、その反力が上げ下げ障子１１を上方に押し上げる方向に作用するので、上げ下げ障子１１を所定の位置に保持するために必要な力を小さくすることが可能である。
【００６２】
また、この反力によりモヘヤ２１の先端側がガイド部材２０の摺動ガイド部２０ｂを押圧する力が大きくなる。そして、上げ下げ障子１１を下方に移動する際には、モヘヤ２１がさらに圧縮されるので、その反力より上げ下げ障子１１を上方に押し上げる方向に作用する力が大きくなる。さらに、反力による摺動ガイド部２０ｂを押圧する力も大きくなるので摩擦力が増大し、上げ下げ障子１１の下方への移動を抑制する力が大きくなる。
【００６３】
一方、上げ下げ障子１１を上方に移動させる際には、モヘヤ２１の突出方向に沿うように移動しモヘヤ２１が圧縮されないので、圧縮力や摩擦力は生じ難い。このため、上げ下げ障子１１をより滑らかに上方に移動させることが可能である。すなわち、上げ下げ障子１１を所定位置に保持する、或いは、下方に移動する際には、上げ下げ障子１１の下方への移動を抑制する力を大きく作用させ、上げ下げ障子１１を上方に移動する際には、上げ下げ障子１１に作用する負荷を軽減することを可能として、上げ下げ障子１１を上方に移動しやすい上げ下げ窓１０を提供することが可能である。
【００６４】
また、本実施形態においては、弾性突出部を、毛状をなすモヘヤ２１としたので、上げ下げ障子１１が下方に移動し始めた際には、屈曲しつつ圧縮されるとともにモヘヤ２１の、突出した先端側から押圧されて圧縮力及び摩擦力が大きくなり、上げ下げ障子１１の下方への移動が抑制される。また、上げ下げ障子１１が上方に移動する際には、モヘヤ２１の個々の繊維は上げ下げ障子１１の移動方向に沿わされ易いので負荷が小さく、各々の毛状の繊維が樹脂板１１ａの端部１１ｂ、１１ｃ及び摺動部材１７の摺動片１７３に接触しても接触面積が小さいので、上げ下げ障子１１に作用する負荷を小さく抑えることが可能である。
【００６５】
また、弾性突出部はモヘヤ２１に限らず、例えば、図１２に示すように、軟質の合成樹脂製のヒレ状をなすヒレ状部２２が、その先端が基端より上方または下方に位置するように摺動ガイド部２０ｂに設けられていてもよい。この場合には、ヒレ状部２２はヒレ状をなしているので、毛状のモヘヤ２１より剛性を高めることが可能であり、上げ下げ障子１１が下方に移動し始めた際に、上げ下げ障子１１の下方への移動をより抑制することが可能である。また、弾性突出部は、図１３に示すように、隆起した曲面を有し、隆起した先端が基端より上方または下方に位置する隆起部２３であってもよい。この場合には、弾性突出部が隆起した曲面なので、加工が容易である。
【００６６】
また上記実施形態においては、支持枠体１２が溝部をなすガイド部材２０を備えており、上げ下げ障子１１の樹脂板１１ａの端部１１ｂ、１１ｃ及び摺動部材１７の摺動片１７３がガイド部材２０に収容される例について説明したが、これに限るものではない。例えば、図１４に示すように、上げ下げ障子１１１が縦框１１２を備え、縦框１１２の外周に設けられ内周側に窪み上下方向に沿う溝部１１２ａに、支持枠体１１３に設けられ内周側に突出している突部１１３ａが収容される上げ下げ窓１１０であっても構わない。この場合には、溝部１１２ａ内に設けられているガイド部材１１４の摺動ガイド部１１４ａ間に配置された突部１１３ａとの対向する位置にモヘヤ２１等の弾性突出部が設けられている。また、モヘヤ２１などの弾性突出部を設ける位置は、溝部内に収容された突部との間に限らず、例えば、上げ下げ障子の左右方向における端面と、この端面と対向する枠体の部位との間など、上げ下げ障子と枠体とが互いに対向する部位であって、上げ下げ障子が昇降する際に接触する部位であれば構わない。
【００６７】
また、上記実施形態においては、弾性突出部が、支持枠体１２に設けられ溝部をなすガイド部材２０に、あるいは、縦框１１２の溝部１１２ａに設けられたガイド部材１１４に設けられている例について説明したが、障子あるいは枠体に直接、設けられていてもよく、障子および枠体の両方に備えていても良い。
【００６８】
また、上記実施形態においては、室内外に２枚の上げ下げ障子を備えた例について説明したが、いずれか一方が固定されており、他方のみが昇降自在に設けられた上げ下げ窓であっても構わない。
【００６９】
上記実施形態においては、上げ下げ窓がガラスルーバー窓の室内側に設けられる内窓として設けられている例について説明したが、内窓に限るものではない。
【００７０】
また、上記実施形態においては、バランサー等の機構による操作力の軽減装置を備えない上げ下げ窓を例に挙げて説明したが、操作力の軽減装置を備えた上げ下げ窓であっても、障子と枠体とが係合する部位に、上記実施形態のようにモヘヤなどの弾性突出部を併用することにより、上方への開閉をより滑らかにすることが可能である。
【００７１】
また、上記実施形態のように、障子の枠体が係合する部位にモヘヤなどの弾性突出部を備えることにより、気密性を向上させることが可能である。
【００７２】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００７３】
１  内窓ユニット、１０  上げ下げ窓、１１  上げ下げ障子、１１ａ  樹脂板、
１１ｂ  右側の端部、１１ｃ  左側の端部、１２  支持枠体、２０  ガイド部材、
２０ａ  ガイド本体部、２０ｂ  摺動ガイド部、２１  モヘヤ、２２  ヒレ状部、
２３  隆起部、１１０  上げ下げ窓、１１１  上げ下げ障子、１１３  支持枠体、
１１３ａ  突部、１１４  ガイド部材、１１４ａ  摺動ガイド部、１７３  摺動片、
【図１】
2014196647.tif 000003
【図２】
2014196647.tif 000004
【図３】
2014196647.tif 000005
【図４】
2014196647.tif 000006
【図５】
2014196647.tif 000007
【図６】
2014196647.tif 000008
【図７】
2014196647.tif 000009
【図８】
2014196647.tif 000010
【図９】
2014196647.tif 000011
【図１０】
2014196647.tif 000012
【図１１】
2014196647.tif 000013
【図１２】
2014196647.tif 000014
【図１３】
2014196647.tif 000015
【図１４】
2014196647.tif 000016